(57)【要約】【課題】収納空間の天井高を確保するとともに、建物の高さを抑えることができる収納構造を提供する。【解決手段】スキップ床６の下方に位置する上階床２を天井懐５を利用して下げることによって、収納空間８の床を構成する収納床１０とし、上階床２とスキップ床６との間の段差部に前記収納空間８への出入口１１を設ける。したがって、収納床１０を下げた分、スキップ床６を下げても収納空間８の天井高を例えば０．９〜１．４ｍ程度の高さに確保できる。また、スキップ床６を下げることができるので、スキップ床６上の居住空間２０の天井高を確保しつつ建物の高さを抑えることができる。【選択図】図２
2007291687.tif 000002
【特許請求の範囲】
【請求項１】
上階床と下階の天井との間に天井懐が設けられ、前記上階床の上方にスキップ床が設けられ、このスキップ床と前記上階床との間に収納空間が設けられた収納構造であって、
前記スキップ床の下方に位置する上階床が前記天井懐を利用して下げられることによって、前記収納空間の床を構成する収納床とされ、
前記上階床と前記スキップ床との間の段差部に前記収納空間への出入口が設けられていることを特徴とする収納構造。
【請求項２】
請求項１に記載の収納構造において、
前記収納床の下面と前記天井の下面とが面一になっていることを特徴とする収納構造。
【請求項３】
請求項１または２に記載の収納構造において、
前記段差部の近傍において、前記上階床には、開口部が前記出入口と連続して形成されており、この開口部の下方には、前記収納床が延出していることを特徴とする収納構造。
【請求項４】
請求項３に記載の収納構造において、
前記上階床の開口部の縁部と、前記スキップ床との間に階段が設けられており、
この階段は前記出入口を開閉する扉を兼ねていることを特徴とする収納構造。
【請求項５】
請求項４に記載の収納構造において、
前記階段は前記出入口を開閉するように左右にスライド可能に設けられていることを特徴とする収納構造。
【発明の詳細な説明】
【技術分野】
【０００１】
本発明は、住宅等の建物内部に設ける収納構造に関する。
【背景技術】
【０００２】
住宅等の建物の内部に、天井高が１．０〜１．４ｍ程度の高さを有する収納空間を設けた建物の一例として特許文献１に記載のものが知られている。この特許文献１に記載の建物では、２階の床上にスキップ床を設け、２階の床とスキップ床との間を、天井高が１．４ｍ程度の収納室としている。
【特許文献１】特開２００４−１１３３６号公報
【発明の開示】
【発明が解決しようとする課題】
【０００３】
ところで、前記特許文献１に記載の建物では、２階の床とスキップ床との間を収納室（収納空間）としているので、収納空間の天井高分スキップ床を上げており、スキップ床上の居住空間の天井高を確保するために、通常の建物より収納空間の天井高さ分だけ高くなるという課題があった。
【０００４】
本発明は上記事情に鑑みてなされたもので、収納空間の天井高を確保するとともに、建物の高さを抑えることができる収納構造を提供することを課題としている。
【課題を解決するための手段】
【０００５】
上記課題を解決するために、請求項１に記載の発明は、例えば図１〜図５に示すように、上階床２と下階の天井３との間に天井懐５が設けられ、前記上階床２の上方にスキップ床６が設けられ、このスキップ床６と前記上階床２との間に収納空間８が設けられた収納構造であって、
前記スキップ床６の下方に位置する上階床２が前記天井懐５を利用して下げられることによって、前記収納空間８の床を構成する収納床１０とされ、
前記上階床２と前記スキップ床６との間の段差部に前記収納空間８への出入口１１が設けられていることを特徴とする。
【０００６】
ここで、「上階床が前記天井懐を利用して下げられる」とは、天井懐の上下の高さ内において上階床が下げられることを意味している。したがって、この下げられた上階床が収納床とされるが、最も下げられた収納床はその下面が天井の下面と面一になる。また、収納床はその上面が上階床の上面より下方に位置するように下げればよい。
【０００７】
請求項１に記載の発明によれば、スキップ床６の下方に位置する上階床２を、天井懐５を利用して下げることによって、収納空間８の床を構成する収納床１０としたので、収納床１０を下げた分、スキップ床６を下げても収納空間８の天井高を例えば０．９〜１．４ｍ程度の高さに確保できる。また、スキップ床６を下げることができるので、スキップ床６上の居住空間２０の天井高を確保しつつ建物の高さを抑えることができる。
【０００８】
請求項２に記載の発明は、請求項１に記載の収納構造において、
前記収納床１０の下面１０ａと前記天井３の下面３ｂとが面一になっていることを特徴とする。
【０００９】
請求項２に記載の発明によれば、収納床１０の下面１０ａが天井３の下面３ｂと面一であるので、収納床１０を天井懐５を利用して最も下げることができ、よって、収納空間８の天井高をより高くすることができる。
【００１０】
請求項３に記載の発明は、請求項１または２に記載の収納構造において、
前記段差部の近傍において、前記上階床２には、開口部１２が前記出入口１１と連続して形成されており、この開口部１２の下方には、前記収納床１０が延出していることを特徴とする。
【００１１】
請求項３に記載の発明によれば、開口部１２および出入口１１を通って、収納空間８に出入りできる。したがって、出入口１１の高さが低くても、収納空間８に容易に出入りできる。
【００１２】
請求項４に記載の発明は、請求項３に記載の収納構造において、
前記上階床２の開口部１２の縁部と、前記スキップ床６との間に階段１５が設けられており、
この階段１５は前記出入口１１を開閉する扉を兼ねていることを特徴とする。
【００１３】
ここで、階段が出入口を開閉する扉を兼ねるには、階段を取り外し可能に構成したり、階段をその上端部または下端部を軸として上下に回動可能に構成することによって、出入口を開閉するようにすればよい。
【００１４】
請求項４に記載の発明によれば、階段１５が出入口１１の扉を兼ねるので、出入口１１を開閉する扉を別途設ける必要がない。
【００１５】
請求項５に記載の発明は、請求項４に記載の収納構造において、
前記階段１５は前記出入口１１を開閉するように左右にスライド可能に設けられていることを特徴とする。
【００１６】
請求項５に記載の発明によれば、階段１５をスライドさせることによって出入口１１を容易に開閉できる。
また、階段１５をスライドさせて出入口１１を開放した状態でも、階段１５を使用して上階床２とスキップ床６との間を容易に行き来できる。
【発明の効果】
【００１７】
本発明によれば、スキップ床の下方に位置する上階床が天井懐を利用して下げられることによって、収納空間の床を構成する収納床とされているので、収納床を下げた分、スキップ床を下げても収納空間の天井高を例えば０．９〜１．４ｍ程度の高さに確保できる。また、スキップ床を下げることができるので、スキップ床上の居住空間の天井高を確保しつつ建物の高さを抑えることができる。
【発明を実施するための最良の形態】
【００１８】
以下図面を参照して本発明の実施の形態について説明する。
図１は本発明に係る建物の一例を示す概略断面図である。この図に示す建物は、２階建ての建物であり、例えば周知のパネル工法によって構築されている。
図１において符号１は１階床、符号２は２階床（上階床）を示す。２階床２は、図２に示すように、床パネルで構成されている。この床パネルは框材２ａを矩形枠状に組み立てるとともに、この矩形枠の上面に合板等からなる面材２ｂを貼着したものであり、矩形枠の内部には補強桟材２ｃが組み付けられている。
【００１９】
２階床２の下方には、１階の天井３が配置されている。この天井３は野縁３ａを格子状に組立てて枠体を構成し、この枠体の下面に天井板３ｂを貼着したものである。このような天井３は吊木４によって２階床２に支持されている。吊木４は、その上端部を床パネルの補強桟材２ｃに固定し、下端部を天井３の野縁３ａに固定することによって、天井３を２階床２の下方で固定している。そして、この天井３と２階床２との間が天井懐５となっている。この天井懐５の上下の高さは例えば０．５ｍ程度となっている。
【００２０】
また、２階床２の上方にはスキップ床６が設けられている。このスキップ床６は、２階床２より０．４ｍ〜０．９ｍ程度高い位置に設けられている。このスキップ床６も２階床２と同様に、框材６ａを矩形枠状に組み立てるとともに、この矩形枠の上面および下面に合板等からなる面材６ｂを貼着してなる床パネルによって構成されている。なお、矩形枠の内部には補強桟材６ｃが組み付けられている。また、このスキップ床６の端部は２階の壁パネルの側面に固定された受材７に支持されている。
【００２１】
また、スキップ床６の下方に位置する２階床２が天井懐５を利用して下げられることによって、収納空間８の床を構成する収納床１０とされている。つまり、天井懐５の上下の高さ内において２階床２が下げられて収納床１０とされている。そして、この収納床１０と前記スキップ床６との間が前記収納空間８となっている。この収納空間８の天井高は０．９ｍ〜１．４ｍ程度となっている。
また、収納床１０の下面には天井板１０ａが貼着されており、この天井板１０ａと前記天井板３ｂとは面一になっている。
さらに、前記２階床２とスキップ床６との段差部には、収納空間８への出入口１１が設けられている。すなわち、２階床２とスキップ床６の間の段差部にある壁１３に出入口１１が形成されている。
【００２２】
また、前記段差部の近傍において、図２および図４に示すように、２階床２には開口部１２が前記出入口１１と連続して形成されている。したがって、前記段差部の近傍において、出入口１１と開口部１２とが連続して、大きな断面略Ｌ型の大きな開口となっている。また、開口部１２の下方には、前記収納床１０が延出しており、延出床１０ｂとされている。
さらに、２階床２の開口部１２の縁部と、スキップ床６の縁部との間には、図３〜図５に示すように、階段１５が設けられている。この階段１５はユニット化された階段であり、左右一対のささら桁１５ａ，１５ａとこれらささら桁１５ａ，１５ａに支持された複数の段板１５ｂ・・・を備えている。
最上段の段板１５ｂの上面はスキップ床６の上面と面一になっている。また、最下段の段板１５ｂは２階床２の、前記開口部１２の縁部近傍の上面に載置されている。
【００２３】
最上段の段板１５ｂの下面には、支持金具１６ａが固定されており、この支持金具１６ａにローラ１６ｂが回転自在に支持されている。なお、この支持金具１６ａとローラ１６ｂは、段板１５ｂの幅方向（図５において紙面と直交する方向）に所定間隔で複数設けられている。
一方、スキップ床６の端面には、断面Ｌ字状のレール１７が図５において紙面と直交する方向に延在して固定されている。このレール１７はスキップ床６の端面全長に亙って固定されている。そして、このレール１７に前記ローラ１６ｂが転動可能に設けられている。
【００２４】
また、最下段の段板１５ｂの下面には凹部が形成されており、この凹部に支持金具１８ａが嵌合固定され、この支持金具１８ａにローラ１８ｂが回転自在に支持されている。ローラ１８ｂは最下段の段板１５ｂの下面から若干下方に突出している。なお、この支持金具１８ａとローラ１８ｂは、段板１５ｂの幅方向（図５において紙面と直交する方向）に所定間隔で複数設けられている。
一方、２階床２の上面には、レール溝１９が図５において紙面と直交する方向に延在して形成されている。このレール溝１９は、前記レール１７と平行にほぼ同長さに形成されている。そして、このレール溝１９に前記ローラ１８ｂが転動可能に設けられている。
【００２５】
したがって、前記階段１５はレール１７およびレール溝１９に沿ってスライド可能であり、図３に示すように、収納空間８の出入口１１の前方に位置することによって、出入口１１と開口部１２を閉鎖し、図４に示すように、スライドして出入口１１の横の壁１３前に位置することによって出入口１１と開口部１２を開放するようになっている。つまり、階段１５は出入口１１と開口部１２とを同時に開閉するように左右にスライド可能に設けられており、該出入口１１と開口部１２を開閉する扉を兼ねている。なお、図４および図５において、符号２１は引戸を示している。
【００２６】
このような収納構造では、収納空間８に収納物を収納したり、収納空間８から収納物を取り出す場合には、図４に示すように、階段１５を壁１３側にスライドさせて、出入口１１と開口部１２とを大きく開き、開口部１２から住人がその足を延出床１０ｂに下ろして出入口１１から収納空間８に出入りすることによって行う。このように開口部１２および出入口１１を通って、収納空間８に出入りできるので、出入口１１の高さが低くても、収納空間８に容易に出入りできる。
また、出入口１１と開口部１２とを大きく開放している際において、階段１５は壁１３の前方に位置しているので、この階段１５を利用して２階床２とスキップ床６との間を容易に行き来できる。さらに、階段１５が出入口１１と開口部１２の扉を兼ねるので、出入口１１や開口部１２を開閉する扉を別途設ける必要がない。
【００２７】
そして、本実施の形態の収納構造では、スキップ床６の下方に位置する上階床２を、天井懐５を利用して下げることによって、収納空間８の床を構成する収納床１０としている。したがって、収納床１０を下げた分、スキップ床６を下げても収納空間８の天井高を例えば０．９〜１．４ｍ程度の高さに確保できる。このように、収納空間８の天井高を確保しつつスキップ床６を下げることができるので、スキップ床６上の居住空間２０の天井高を確保しつつ建物の高さを抑えることができる。
また、収納床１０の下面（天井板１０ｂ）が天井３の下面（天井板３ｂ）と面一であるので、収納床１０を天井懐５を利用して最も下げることができ、よって、収納空間８の天井高をより高くすることができる。
【００２８】
なお、本実施の形態において、開口部１２の下方の延出床１０ｂに、２階床２から直接下りるようにしたが、延出床１０ｂと２階床２との間に階段を設けてもよい。
また、階段１５によって出入口１１や開口部１２を開閉するようにしたが、これに代えて通常のスライド式の扉によって開閉するようにしてもよい。
【図面の簡単な説明】
【００２９】
【図１】本発明に係る収納構造を備えた建物の一例を示す概略断面図である。
【図２】本発明に係る収納構造の一例を示すもので、収納構造の縦断面図である。
【図３】同、収納構造の概略構成を示すもので、出入口を閉めた状態を示す斜視図である。
【図４】同、収納構造の概略構成を示すもので、出入口を開けた状態を示す斜視図である。
【図５】同、階段の要部を示す縦断面図である。
【符号の説明】
【００３０】
２  ２階床（上階床）
３  天井
５  天井懐
６  スキップ床
８  収納空間
１０  収納床
１１  出入口
１２  開口部
１５  階段
【図１】
2007291687.tif 000003
【図２】
2007291687.tif 000004
【図３】
2007291687.tif 000005
【図４】
2007291687.tif 000006
【図５】
2007291687.tif 000007